(57)【特許請求の範囲】
【請求項１】
水蒸気を含む燃料ガスを部分酸化させその発熱で前記燃料ガスを水素を含む改質ガスに改質する燃焼・改質触媒が充填された部分酸化改質器と、該部分酸化改質器に空気を供給する空気供給ラインと、該空気供給ラインの空気流量を制御する流量制御器とを備え、
前記燃焼・改質触媒は、互いに間隔を隔てて直列に配置された複数の触媒層からなり、
前記空気供給ラインは、前記各触媒層の上流側に空気を独立に供給する複数の分岐ラインを有し、
更に各分岐ラインを予熱する予熱装置を備え、
起動時に、起動信号により、前記各触媒層の温度を、触媒層の改質可能温度として設定した所定温度と比較し、
全ての前記触媒層が前記所定温度を超えているときは、前記触媒層への空気の供給及び前記予熱装置を停止した状態でそのまま起動を完了し、
いずれかの前記触媒層が所前記定温度以下であるときは、前記燃料ガスの供給を停止したまま、前記予熱装置を起動するとともに前記各触媒層の温度を前記所定温度と比較し、前記所定温度以下の前記触媒層には前記予熱装置で前記触媒の酸化可能温度まで予熱した空気を供給して触媒を自己発熱させ、該自己発熱により前記所定温度を超えた触媒層には空気の供給を停止し、全ての前記触媒層が前記所定温度を超えたら前記予熱装置を停止し、起動を完了し、
前記起動を完了した後、前記触媒層への空気の供給を停止したまま前記燃料ガスの供給を開始し、次いで前記触媒内の温度が触媒の耐熱温度を超えないように空気流量を所定流量に達するまで段階的に又は連続的に増大するように制御して供給する、ことを特徴とする燃料改質装置。
【請求項２】
前記各触媒層は、上流側に配置され下流側に配置されるものよりも耐熱温度の高い第１触媒と、下流側に配置され上流側に配置されるものより改質性能の高い第２触媒とからなる、ことを特徴とする請求項１に記載の燃料改質装置。
【請求項３】
水蒸気を含む燃料ガスを部分酸化させその発熱で前記燃料ガスを水素を含む改質ガスに改質する燃焼・改質触媒が充填された部分酸化改質器であって前記燃焼・改質触媒が互いに間隔を隔てて直列に配置された複数の触媒層からなる部分酸化改質器を備えた燃料改質装置の起動に際し、
起動信号により、前記各触媒層の温度を触媒層の改質可能温度として設定した所定温度と比較し、
全ての前記触媒層が前記所定温度を超えているときは、前記触媒層への空気の供給及び前記予熱装置を停止した状態でそのまま起動を完了し、
いずれかの前記触媒層が前記所定温度以下であるときは、前記燃料ガスの供給を停止したまま、前記各触媒層の温度を前記所定温度と比較し、前記所定温度以下の前記触媒層には前記触媒の酸化可能温度まで予熱した空気を当該触媒層の上流側に供給して触媒を自己発熱させ、該自己発熱により前記所定温度を超えた触媒層には空気の供給を停止し、全ての前記触媒層が前記所定温度を超えたら、起動を完了し、
前記起動を完了した後、前記触媒層への空気の供給を停止したまま前記燃料ガスの供給を開始し、次いで前記触媒内の温度が触媒の耐熱温度を超えないように空気流量を所定流量に達するまで段階的に又は連続的に増大するように制御して供給する、
ことを特徴とする燃料改質装置の起動方法。
【発明の詳細な説明】
【０００１】
【発明の属する技術分野】
本発明は、燃料を水素を含む改質ガスに改質して発電する燃料電池システムにおいて、特別な機器やユーティリィティを必要とせずに、短時間で起動（コールドスタート）するための燃料改質装置とその起動方法に関する。
【０００２】
【従来の技術】
近年、燃料電池自動車の研究開発が活発に行われており、特に、燃料電池としては作動温度が比較的低い（１００℃前後）固体高分子型燃料電池（ＰＥＦＣ）が有力である。また燃料としては、補給が容易でインフラ整備の必要性が少ないメタノールが有力視されている。この場合、メタノールを水素に改質する改質器が必須となる。
【０００３】
【発明が解決しようとする課題】
メタノールを改質する改質器としては、例えば「メタノール改質器」（特開昭６３−５０３０２号）が開示されている。この改質器は、中空円筒形の反応管の内部に改質触媒を充填し、外部から燃焼排ガスで加熱し、内部を流れる燃料ガスを改質するものである。
【０００４】
しかし、特開昭６３−５０３０２号の「メタノール改質器」は、自動車用に搭載するには、（１）大型で重く、（２）起動に時間がかかり、（３）負荷変化への応答性が低く、（４）発生した水素含有ガス中のＣＯ濃度が高く、燃料電池の電極を劣化させる、等の問題点があった。
【０００５】
また、高いメタノール転化率を維持しつつＣＯガスの生成を低くできる手段として、例えば、「水素含有ガスの製造方法」（特開平６−２５６００１号、特開平６−２７９００１号）が開示されている。この方法は、メタノール、酸素、水を加熱した触媒に接触させて反応させるものであり、燃料の一部を燃焼させる部分酸化を利用している。
【０００６】
しかし、特開平６−２５６００１号及び特開平６−２７９００１号の「水素含有ガスの製造方法」は、（５）触媒の予熱に時間がかかり、（６）ＣＯ濃度を従来のリン酸型燃料電池には適用可能な程度（約１％前後）まで下げることができるが、車載用に適した固体高分子型燃料電池（ＰＥＦＣ）に適用するには依然としてＣＯ濃度が高い問題点があった。
【０００７】
更に、ＣＯ濃度が極めて低い水素含有ガスを生成することができる「燃料改質装置」（特開平８−１５７２０１号）が開示されている。この装置は、図６に示すように改質器Ｒｅ、選択酸化部Ｓｏｘ、部分酸化部Ｐｏｘ、及び制御装置Ｃを備え、選択酸化部Ｓｏｘで一酸化炭素のみを酸化し、部分酸化部Ｐｏｘで残存の一酸化炭素を酸化することで、ＣＯ濃度が極めて低い（数ｐｐｍ）水素含有ガスを生成し、ＰＥＦＣへの適用を可能にしている。
【０００８】
しかし、特開平８−１５７２０１号の「燃料改質装置」は、改質器が特開昭６３−５０３０２号と同様の間接加熱型であるため、起動に時間がかかり、負荷変化への応答性が低い問題点があった。
【０００９】
上述したように、従来は、電気ヒータ、触媒燃焼器、等の熱源によって加熱した大量の不活性ガス（例、窒素ガス）を燃料の供給ラインに流すことで改質器全体を暖機しているが、改質器の熱容量が大きいため改質器全体が目的の温度に到達するまで長時間を要し、自動車に搭載した場合、低温状態からのスタート（コールドスタート）に時間がかかる問題点があった。
また、コールドスタートを早めるため、改質器の触媒層が十分に暖機（改質可能温度）されていない状態で、燃料ガス（メタノールと水の混合ガス）を供給すると低温領域において燃料ガスが未改質のまま結露して触媒を濡らし、触媒性能を劣化させたり、触媒層内に残留した未改質の燃料ガスが、十分に改質されることなく燃料電池に供給されて燃料電池の被毒を促進してしまう等の問題点があった。
【００１０】
本発明は上述した種々の問題点を解決するために創案されたものである。すなわち、本発明の目的は、特別な機器やユーティリィティを必要とせずに、短時間で起動（コールドスタート）ができ、かつ改質触媒及び燃料電池の被毒を防止でき、車載に適したコンパクト化が容易である燃料改質装置とその起動方法を提供することにある。
【００１１】
【課題を解決するための手段】
本発明によれば、水蒸気を含む燃料ガスを部分酸化させその発熱で前記燃料ガスを水素を含む改質ガスに改質する燃焼・改質触媒が充填された部分酸化改質器と、該部分酸化改質器に空気を供給する空気供給ラインと、該空気供給ラインの空気流量を制御する流量制御器とを備え、前記燃焼・改質触媒は、互いに間隔を隔てて直列に配置された複数の触媒層からなり、前記空気供給ラインは、前記各触媒層の上流側に空気を独立に供給する複数の分岐ラインを有し、更に各分岐ラインを予熱する予熱装置を備え、起動時に、起動信号により、前記各触媒層の温度を、触媒層の改質可能温度として設定した所定温度と比較し、
全ての前記触媒層が前記所定温度を超えているときは、前記触媒層への空気の供給及び前記予熱装置を停止した状態でそのまま起動を完了し、いずれかの前記触媒層が所前記定温度以下であるときは、前記燃料ガスの供給を停止したまま、前記予熱装置を起動するとともに前記各触媒層の温度を前記所定温度と比較し、前記所定温度以下の前記触媒層には前記予熱装置で前記触媒の酸化可能温度まで予熱した空気を供給して触媒を自己発熱させ、該自己発熱により前記所定温度を超えた触媒層には空気の供給を停止し、全ての前記触媒層が前記所定温度を超えたら前記予熱装置を停止し、起動を完了し、前記起動を完了した後、前記触媒層への空気の供給を停止したまま前記燃料ガスの供給を開始し、次いで前記触媒内の温度が触媒の耐熱温度を超えないように空気流量を所定流量に達するまで段階的に又は連続的に増大するように制御して供給する、ことを特徴とする燃料改質装置が提供される。
【００１２】
また、本発明によれば、水蒸気を含む燃料ガスを部分酸化させその発熱で前記燃料ガスを水素を含む改質ガスに改質する燃焼・改質触媒が充填された部分酸化改質器であって前記燃焼・改質触媒が互いに間隔を隔てて直列に配置された複数の触媒層からなる部分酸化改質器を備えた燃料改質装置の起動に際し、起動信号により、前記各触媒層の温度を触媒層の改質可能温度として設定した所定温度と比較し、全ての前記触媒層が前記所定温度を超えているときは、前記触媒層への空気の供給及び前記予熱装置を停止した状態でそのまま起動を完了し、いずれかの前記触媒層が前記所定温度以下であるときは、前記燃料ガスの供給を停止したまま、前記各触媒層の温度を前記所定温度と比較し、前記所定温度以下の前記触媒層には前記触媒の酸化可能温度まで予熱した空気を当該触媒層の上流側に供給して触媒を自己発熱させ、該自己発熱により前記所定温度を超えた触媒層には空気の供給を停止し、全ての前記触媒層が前記所定温度を超えたら、起動を完了し、前記起動を完了した後、前記触媒層への空気の供給を停止したまま前記燃料ガスの供給を開始し、次いで前記触媒内の温度が触媒の耐熱温度を超えないように空気流量を所定流量に達するまで段階的に又は連続的に増大するように制御して供給する、ことを特徴とする燃料改質装置の起動方法が提供される。
【００１３】
上記本発明の方法及び装置によれば、低温起動時に、前記燃料ガスの供給を停止したまま空気供給ライン（２０）から燃焼・改質触媒（１５）の酸化可能温度（例えば約１００℃）まで予熱した空気を供給し、触媒を自己発熱させて触媒全体を昇温するので、空気供給ライン（２０）のみで特別な機器やユーティリィティを必要とせず、車載に適したコンパクト化が容易である。また、空気の供給により還元状態の触媒が酸化して自己発熱するので、ＣＯ等の被毒ガスの発生がなく、改質触媒及び燃料電池の被毒を本質的に防止できる。
【００１５】
また、かかる方法及び装置によれば、複数段ある触媒層を全段同時に並行して暖機できるので、昇温時間が大幅に短縮でき短時間で起動（コールドスタート）が可能となる。
また、起動を完了した後、触媒層への空気の供給を停止したまま燃料ガスの供給を開始し、次いで触媒内の温度が触媒の耐熱温度を超えないように空気流量を所定流量に達するまで段階的に又は連続的に増大するように制御して供給するので、昇温後の前記燃料ガス供給時の触媒温度の過熱を防止し、その寿命を延ばすことができる。
【００１６】
前記各触媒層（１５ａ，１５ｂ，１５ｃ）は、上流側に配置され下流側に配置されるものよりも耐熱温度の高い第１触媒と、下流側に配置され上流側に配置されるものより改質性能の高い第２触媒とからなる。
この構成により、触媒の耐熱温度を超えることなく、上流側の広い範囲で発熱して触媒温度を高め、その下流側において大量の燃料ガスを改質ガスに改質することができる。また、触媒の加熱を防止するので触媒寿命が延び、かつ高温におけるＣＯの発生を抑制することができる。
【００１８】
【発明の実施の形態】
以下、本発明の好ましい実施形態を図面を参照して説明する。なお、各図において共通する部分には同一の符号を付して使用し、重複した説明を省略する。
【００１９】
図１は、本発明の燃料改質装置のシステム構成図である。この図において、１は水タンク、２はメタノールタンク、２ａはメタノールインジェクタ、３は混合器、３ａは燃料インジェクタである。メタノールインジェクタ２ａは、例えば流量調節弁又は液体ポンプであり、起動時にメタノールタンク２からメタノールを触媒燃焼器１８に噴射してこれを燃焼させるようになっている。また、水タンク１内の水とメタノールタンク２内のメタノールを混合器３内で混合し、燃料インジェクタ３ａで流量制御して蒸発器１２内に水とメタノールの混合液（水メタ燃料）を噴射する。燃料インジェクタ３ａは例えば流量調節弁、或いは液体ポンプである。
更に、蒸発器１２は、例えば間接式の熱交換器であり、燃料インジェクタ３ａから供給された水メタ燃料（水とメタノールの混合液）を触媒燃焼器１８からの燃焼排ガスで加熱・蒸発させ、水蒸気を含む燃料ガスを発生させるようになっている。
【００２０】
なお、以下、燃料が水メタ燃料（水とメタノールの混合液）であり、燃料ガスがこれを蒸発させたものである場合について詳述する。しかし、本発明はこれに限定されず、その他の液体燃料及び気体燃料にも同様に適用することができる。
【００２１】
図１において、４は混合器、５は熱交換器、６は三方弁であり、混合器４で空気と前記燃料ガスを混合して改質器１４（部分酸化改質器）に供給し、改質器１４を出た高温の改質ガスを熱交換器５でＣＯ除去器１６に適した温度まで冷却し、三方弁６で燃料電池９（ＰＥＦＣ）と触媒燃焼器１８にＣＯ除去器１６を出たガスを選択的に切り換えるようになっている。なお、三方弁６に替えて２つの二方弁（開閉弁）を用いてもよい。
【００２２】
部分酸化改質器１４には、水蒸気を含む燃料ガスを部分酸化させその発熱で燃料ガスを水素を含む改質ガスに改質する燃焼・改質触媒１５が充填されている。燃焼・改質触媒１５は、銅−亜鉛系の改質触媒であるのがよい。
また、この燃焼・改質触媒１５は、互いに間隔を隔てて直列に配置された複数（この例では３層）の触媒層１５ａ，１５ｂ，１５ｃからなる。更に、各触媒層１５ａ，１５ｂ，１５ｃは、上流側に配置され下流側に配置されるものよりも耐熱温度の高い第１触媒と、下流側に配置され上流側に配置されるものより改質性能の高い第２触媒とからなる。
【００２３】
第１触媒と第２触媒の比率は、触媒層の上流側で発生する高温部分が第１触媒の耐熱温度（例えば３５０℃）を超えることがなく、また、下流側の触媒最高温度が触媒の耐熱温度（例えば３００℃）を超えないように設定する。これにより通常の運転時において、上流側の広い範囲で発熱して触媒温度を高め、その下流側において大量の燃料ガスを改質ガスに改質することができる。また、触媒の加熱を防止するので触媒寿命が延び、かつ高温におけるＣＯの発生を抑制することができる。
【００２４】
上述した構成の燃料改質装置により、通常の運転時には、混合器４で空気と燃料ガスを混合して部分酸化改質器１４に供給し、改質器１４で燃料ガスを水素を含む改質ガスに改質し、改質器１４を出た高温の改質ガスを熱交換器５でＣＯ除去器１６に適した温度まで冷却し、ＣＯ除去器１６でＣＯ濃度を低減して燃料電池９（ＰＥＦＣ）に供給し、燃料電池９において、供給された改質ガスと空気により電気化学的に発電する。更に燃料電池の排ガス（改質ガスと空気）は、触媒燃焼器１８に供給され、可燃成分が燃焼して高温の燃焼排ガスを発生し、上述した蒸発器に供給される。従って、この燃料改質装置と燃料電池により、メタノールを燃料として電気自動車用の駆動用電動機に電気を供給することができる。
【００２５】
図１において、本発明の燃料改質装置は、更に、部分酸化改質器１４に空気を供給する空気供給ライン２０と、この空気供給ラインの空気流量を制御する流量制御器２２とを備える。空気供給ライン２０は、各触媒層１５ａ，１５ｂ，１５ｃの上流側に空気を独立に供給する複数（この例では３本）の分岐ライン２０ａ，２０ｂ，２０ｃを有する。また各分岐ラインにはそれぞれ空気インジェクタ２１ａ，２１ｂ，２１ｃが設けられ個別に流量制御ができるようになっている。空気インジェクタ２１ａ，２１ｂ，２１ｃは、流量を可変調節できる流量調節弁であるのがよい。
更に各分岐ラインにはこれを予熱する予熱装置１９ａ，１９ｂが設けられている。予熱装置１９ａは、この例では、蒸発器１２を出た燃焼排ガスで空気を加熱する。また、予熱装置１９ａは、この例では、電気ヒータその他の加熱源で分岐ライン２０ｂ，２０ｃの空気を加熱するようになっている。
【００２６】
図２は、本発明による低温起動時の起動方法の説明図である。この図において、（Ａ）は従来の方法、（Ｂ）は本発明の方法である。また、図３は、本発明による低温起動時の起動方法の制御フロー図である。なお本発明において、「低温起動時」とは、改質触媒が改質開始可能な最低温度以下にある時の起動をいう。従来の方法では、電気ヒータ等の熱源で加熱した不活性ガスを燃料の供給ラインに流すことで改質器全体を暖機していた。そのため、大量の不活性ガスが必要となり、かつ図２（Ａ）に示すように、前段触媒層の加熱が完了してから後段触媒層の加熱が開始するため、改質器全体が目的の温度に到達するまで長時間を要していた。
【００２７】
これに対して、本発明の方法では、低温起動時に、例えば燃料インジェクタ３ａを全閉して、燃料ガスの供給を停止したまま、予熱装置１９ａ，１９ｂで触媒の酸化可能温度（約１００℃以下）まで予熱した空気を各触媒層１５ａ，１５ｂ，１５ｃの上流側に並列に供給する。
【００２８】
すなわち、図３に示すように、起動信号により、ステップＳ１において全段触媒温度を所定温度（例えば１７０℃）と比較し、全段触媒温度を超えていれば、ホットスタートが可能であり、そのまま起動を完了させ、所定温度以下であれば予熱装置を起動する（Ｓ２）。次いで、各段の触媒温度と所定温度を比較し（Ｓ３）、それぞれ所定温度以下であればその段に空気を供給して触媒を自己発熱させ（Ｓ４）、それぞれ所定温度をこえたら空気を遮断する（Ｓ５）。更に、全段触媒温度が所定温度に達した後に予熱装置を停止し（Ｓ６）、起動を完了する。
【００２９】
従って、本発明では、各触媒層内の触媒は同時に自己発熱して触媒全体を加熱するので、従来必須であった不活性ガスが不要となり、かつ図２（Ｂ）に示すように各段の触媒層を同時に並列に暖機することができる。
【００３０】
上述した燃焼・改質触媒１５は、銅−亜鉛系の改質触媒であり、その酸化反応は、次の式（１）（２）であらわすことができる。
【００３１】
Ｃｕ＋０．５Ｏ2→ＣｕＯ＋Ｑ１．．．（１）
Ｚｎ＋０．５Ｏ2→ＺｎＯ＋Ｑ２．．．（２）
【００３２】
式（１）（２）における発熱量Ｑ１、Ｑ１はそれぞれ約１５５ｋＪ／ｍｏｌ，約３４８ｋＪ／ｍｏｌであり、水素の酸化熱（約２４０ｋＪ／ｍｏｌ）に匹敵する発熱が得られる。また、燃焼・改質触媒１５の酸化可能温度は１００℃以下であるので、本発明の方法により、還元状態の燃焼・改質触媒１５に単に酸化可能温度まで予熱した空気を供給するだけで、大きな自己発熱が得られ、これを利用して短時間に起動（コールドスタート）ができることがわかる。
【００３３】
図４は、本発明による燃料供給時の起動方法の説明図である。この図において、（Ａ）は燃料ガス（メタノール＋水）と空気の供給方法、（Ｂ）は改質器内の触媒温度を示している。また、各図において、実線は従来の方法、破線は本発明の方法を示している。
【００３４】
燃焼・改質触媒１５が、燃焼・改質に適した温度（例えば１７０℃以上）に達した後、燃料インジェクタ３ａを開いて燃料ガスの供給を開始する。この際、図４（Ａ）（Ｂ）に実線で示すように、燃料ガス（メタノール＋水）と空気をステップ状に必要な流量を流すと、触媒温度が急激に上昇し、触媒の耐熱温度（例えば３００℃）を一時的に超えてしまうことが実験的に確認された。
【００３５】
燃料ガスと空気を供給する際の燃焼・改質触媒１５における反応は、以下の式（３）〜（５）であらわすことができる。
【００３６】
ＣｕＯ→Ｃｕ＋０．５Ｏ2−Ｑ１．．．（３）
ＺｎＯ→Ｚｎ＋０．５Ｏ2−Ｑ２．．．（４）
Ｈ2＋０．５Ｏ2→Ｈ2Ｏ＋Ｑ３．．．（５）
【００３７】
式（３）（４）は上述した酸化反応式（１）（２）の逆反応（還元反応）であり、その吸熱量Ｑ１、Ｑ１はそれぞれ約１５５ｋＪ／ｍｏｌ，約３４８ｋＪ／ｍｏｌである。これに対して式（５）は水素の酸化反応であり、その酸化熱Ｑ３は約２４０ｋＪ／ｍｏｌであしる。従って、燃焼・改質触媒１５を昇温した後、燃料ガスと空気を供給すると、式（３）（４）の還元反応と同時に式（３）の酸化反応が生じ、結果として触媒が異常過熱されることになる。
【００３８】
この異常過熱を防止するために、本発明の方法では、触媒全体を燃焼・改質反応が可能な温度まで昇温した後、例えば空気インジェクタ２１ａ，２１ｂ，２１ｃを全閉して空気の供給を一旦停止して燃料ガスの供給を開始する。これにより、燃料ガスが燃焼・改質触媒１５に達した状態でも燃焼に必要な酸素が存在しないか少なくとも不足しているため、水素の酸化（部分燃焼）が起こらず、触媒温度は上昇しない。次いで、本発明の方法では、空気インジェクタ２１ａ，２１ｂ，２１ｃをわずかに開き、触媒内の温度が触媒の耐熱温度を超えないように空気流量を制御して供給する。
【００３９】
各触媒層１５ａ，１５ｂ，１５ｃの内部には、各触媒層の温度を検出する温度センサ（例えば熱電対）が挿入され、空気導入による最高温度を検出するようになっている。なお、温度センサは、必ずしも触媒層内に個々に挿入する必要はなく、例えば下流側のガス温度のみを検出し、それぞれの温度を予測制御してもよい。
【００４０】
図５は参考例を示す試験結果である。この試験では、単一の触媒にその上流から暖機空気と改質空気を順に供給した。図において、横軸は暖機開始からの時間、縦軸は温度、下方の一点鎖線は空気流量、上部の３本の曲線は触媒入口付近（実線）、中間（短破線）、出口付近（長破線）の計測温度である。
【００４１】
この図において、触媒入口付近（実線）の特性が本発明の方法の場合に相当する。この場合、暖機空気流量の供給により約１分半で約５０℃から１００℃まで昇温ができ、その後、一旦空気供給を停止し、次いで改質空気流量を絞って供給することにより、触媒の最高温度を抑えている。また、この結果、低温起動時の起動時間を約３分前後にできることが確認された。
【００４２】
また、この図において、中間（短破線）、出口付近（長破線）の特性からわかるように、上流側からだけ空気を供給しても中間及び出口付近の温度上昇は遅いことがわかる。従って、本発明のように、複数段ある触媒層を全段同時に並行して暖機することが必要であることがわかる。
【００４３】
上述したように、本発明の方法及び装置によれば、低温起動時に、燃料ガスの供給を停止したまま空気供給ライン２０から燃焼・改質触媒１５の酸化可能温度（例えば約１００℃）まで予熱した空気を供給し、触媒を自己発熱させて触媒全体を昇温するので、空気供給ライン２０のみで特別な機器やユーティリィティを必要とせず、車載に適したコンパクト化が容易である。また、空気の供給により還元状態の触媒が酸化して自己発熱するので、ＣＯ等の被毒ガスの発生がなく、改質触媒及び燃料電池の被毒を本質的に防止できる。
また、複数段ある触媒層を全段同時に並行して暖機できるので、昇温時間が大幅に短縮でき短時間で起動（コールドスタート）が可能となる。
【００４４】
なお、本発明は上述した実施形態に限定されず、本発明の要旨を逸脱しない範囲で種々に変更できることは勿論である。
【００４５】
【発明の効果】
上述したように、本発明は、以下の特徴を有する。
（１）複数段ある触媒層に対して、全段同時に並行して暖機を行うので起動時間の短縮となる。
（２）従来の起動方法では、暖機用ガス温度を２００〜３００℃程度まで昇温する必要があったが、活発な酸化による自己発熱現象を促進するのに必要な温度は約１００℃程度と低いため、投入エネルギーを抑えることができる。
（３）改質燃料の投入を開始する際に、酸化ガス（空気）の供給を多段化することで還元状態での急激な温度上昇を抑えることができる。
【００４６】
従って、本発明の燃料改質装置とその起動方法は、短時間で起動（コールドスタート）ができ、かつ改質触媒及び燃料電池の被毒を防止でき、更に、特別な機器やユーティリィティを必要とせず、車載に適したコンパクト化が容易である、等の優れた効果を有する。
【図面の簡単な説明】
【図１】    本発明の燃料改質装置のシステム構成図である。
【図２】    本発明による低温起動時の起動方法の説明図である。
【図３】    本発明による低温起動時の起動方法の制御フロー図である。
【図４】    本発明による燃料供給時の起動方法の説明図である。
【図５】    参考例を示す特性図である。
【図６】    従来の燃料電池用燃料処理装置の構成図である。
【符号の説明】
１  水タンク、２  メタノールタンク、２ａ  メタノールインジェクタ、３  混合器、３ａ  燃料インジェクタ、４  混合器、５  熱交換器、６  三方弁、９  燃料電池（ＰＥＦＣ）、１２  蒸発器、１４  部分酸化改質器、１５  燃焼・改質触媒、１５ａ，１５ｂ，１５ｃ  触媒層、１６  ＣＯ除去器、１８  触媒燃焼器、１９ａ，１９ｂ  予熱装置、２０  空気供給ライン、２０ａ，２０ｂ，２０ｃ  分岐ライン、２１ａ，２１ｂ，２１ｃ  空気インジェクタ、２２  流量制御器
【図１】
0003768137.tif 000002
【図２】
0003768137.tif 000003
【図３】
0003768137.tif 000004
【図４】
0003768137.tif 000005
【図５】
0003768137.tif 000006
【図６】
0003768137.tif 000007